(57)【要約】【課題】装置の省スペース化を図りながら、苗作り、植え替え、手入れ、収穫、清掃、準備及び培養液管理などの各作業の作業性が良好となされた植物栽培装置を提供する。【解決手段】培養槽１中に培養液を溜めこの培養液中で植物を栽培する植物栽培装置であって、複数の培養槽１を縦積みにして保持する保持棚２と、保持棚２に保持された複数の培養槽１のうちの所定の培養槽１を選択的に搬送する搬送手段３と、搬送手段３により選択された培養槽１が搬送され搬送された培養槽１に対する作業が行われる作業場４とを備えた。【選択図】図１
2010136724.tif 000002
【特許請求の範囲】
【請求項１】
培養槽中に培養液を溜め、この培養液中で植物を栽培する植物栽培装置であって、
複数の前記培養槽を縦積みにして保持する保持棚と、
前記保持棚に保持された複数の培養槽のうちの所定の培養槽を選択的に搬送する搬送手段と、
前記搬送手段により選択された培養槽が搬送され、搬送された培養槽に対する作業が行われる作業場と
を備えたことを特徴とする植物栽培装置。
【請求項２】
前記搬送手段は、前記作業場に搬送した培養槽を、前記作業場における作業が終了した後に、前記保持棚の元の場所に搬送し、保持棚に保持させる
ことを特徴とする請求項１記載の植物栽培装置。
【発明の詳細な説明】
【技術分野】
【０００１】
本発明は、屋内で、野菜、果物、その他の植物を栽培する植物栽培装置に関する。
【背景技術】
【０００２】
従来、屋内において、ＬＥＤなどの人工光を用いて、野菜、果物、その他の植物を栽培する植物栽培装置が提案されている。このような植物栽培装置は、特許文献１に記載されているように、培養槽に培養液を溜め、この培養液中で植物を栽培するものである。培養液中で栽培される植物には、太陽光などの自然光ではなく、ＬＥＤなどから発せられる人工光が照射され、光合成が行われるようにしている。
【０００３】
このような植物栽培装置においては、苗作り、植え替え、手入れ及び収穫というサイクルが繰り返されることにより、野菜や果物が生産される。また、このサイクルと並行して、監視、清掃、準備、培養液管理といった作業を随時行うことが必要となる。
【先行技術文献】
【特許文献】
【０００４】
【特許文献１】特開平０９−００９８０８号公報
【発明の概要】
【発明が解決しようとする課題】
【０００５】
ところで、前述のような植物栽培装置においては、苗作り、植え替え、手入れ及び収穫、さらに、清掃、準備、培養液管理といった各作業において、作業者は、培養槽の位置まで行かなければならない。培養槽は、装置の省スペース化を図るためには、平面状に配置するのみならず、縦積みにして配置する必要がある。そうすると、作業者が培養槽の位置まで行くには、脚立を用いたり、梯子を登ったりしなければならないため、作業性が悪く、また、安全な作業環境を確保することが困難となる。
【０００６】
そこで、本発明は、前述の実情に鑑みて提案されるものであって、装置の省スペース化を図りながら、苗作り、植え替え、手入れ、収穫、清掃、準備及び培養液管理などの各作業の作業性が良好となされた植物栽培装置を提供することを目的とする。
【課題を解決するための手段】
【０００７】
前述の課題を解決するため、本発明に係る植物栽培装置は、以下の構成を有するものである。
【０００８】
〔構成１〕
培養槽中に培養液を溜めこの培養液中で植物を栽培する植物栽培装置であって、複数の培養槽を縦積みにして保持する保持棚と、保持棚に保持された複数の培養槽のうちの所定の培養槽を選択的に搬送する搬送手段と、搬送手段により選択された培養槽が搬送され搬送された培養槽に対する作業が行われる作業場とを備えたことを特徴とするものである。
【０００９】
〔構成２〕
構成１を有する植物栽培装置において、搬送手段は、作業場に搬送した培養槽を、作業場における作業が終了した後に、保持棚の元の場所に搬送し、保持棚に保持させることを特徴とするものである。
【発明の効果】
【００１０】
構成１を有する本発明に係る植物栽培装置においては、複数の培養槽を縦積みにして保持する保持棚と、保持棚に保持された複数の培養槽のうちの所定の培養槽を選択的に搬送する搬送手段と、搬送手段により選択された培養槽が搬送され搬送された培養槽に対する作業が行われる作業場とを備えたので、作業者は、各培養槽に対する作業を行うにあたり、各培養槽の近くに移動する必要がなく、全ての培養槽に対する作業を作業場において行うことができる。
【００１１】
構成２を有する本発明に係る植物栽培装置においては、搬送手段は、作業場に搬送した培養槽を、作業場における作業が終了した後に、保持棚の元の場所に搬送し、保持棚に保持させるので、作業を終了された各培養槽は、常に保持棚の所定の場所に保持される。
【００１２】
すなわち、本発明は、装置の省スペース化を図りながら、苗作り、植え替え、手入れ、収穫、清掃、準備及び培養液管理などの各作業の作業性が良好となされた植物栽培装置を提供することができるものである。
【図面の簡単な説明】
【００１３】
【図１】本発明に係る植物栽培装置の構成を示す斜視図である。
【図２】本発明に係る植物栽培装置の保持棚の構成を示す正面図である。
【図３】本発明に係る植物栽培装置の保持棚の構成を示す斜視図である。
【図４】本発明に係る植物栽培装置の搬送手段及び制御装置の構成を示す斜視図である。
【発明を実施するための形態】
【００１４】
以下、本発明を実施するための形態について、図面を参照して詳細に説明する。
【００１５】
図１は、本発明に係る植物栽培装置の構成を示す斜視図である。
【００１６】
本発明に係る植物栽培装置は、図１に示すように、複数の培養槽１中に培養液を溜め、この培養液中で植物を栽培する植物栽培装置である。この植物栽培装置は、複数の培養槽１を縦積みにして保持する保持棚２を備えている。
【００１７】
保持棚２内においては、図２及び図３に示すように、各培養槽１は、所定の位置において保持され、培養液を供給される。また、各培養槽１の上方には、ＬＥＤ、または、蛍光灯１２が設置されており、各培養槽１内の植物に光を照射するようになっている。
【００１８】
そして、この植物栽培装置は、保持棚２に保持された培養槽１を搬送する搬送手段３を備えている。搬送手段３は、保持棚２に保持された複数の培養槽１のうちの所定の培養槽１を、選択的に搬送する。
【００１９】
図４は、本発明に係る植物栽培装置の搬送手段及び制御装置の構成を示す斜視図である。
【００２０】
搬送手段３は、図４に示すように、保持棚２に対する培養槽１の取り出し及び収納を行う移動操作装置５、培養槽１を上下に移動させる昇降装置６及び培養槽１を水平に移動させるコンベア装置７と、これら各装置を制御する制御装置８とにより構成されている。移動操作装置５は、保持棚２に保持された各培養槽１の近くに移動できるように構成されている。
【００２１】
制御装置８は、信号処理装置（ＣＰＵ）を有して構成され、記憶装置（メモリ）９、入力装置（キーボードなど）１０及び表示装置（ディスプレイ）１１が接続されている。
【００２２】
搬送手段３による培養槽１の選択は、制御装置８に対する作業者による入力装置１０を用いた手動入力に従って行ってもよいし、記憶装置９に記憶され制御装置８において実行されるプログラムに従って行われるようにしてもよい。
【００２３】
搬送手段３により選択されて保持棚２より取り出された培養槽１は、図１中矢印Ａで示すように、作業場４に搬送される。作業場４では、搬送された培養槽１に対して、作業者による作業が行われる。この作業は、例えば、苗作り、植え替え、手入れ及び収穫という培養サイクルをなす作業や、この培養サイクルと並行して行われる監視、清掃、準備、培養液管理といった作業である。
【００２４】
この植物栽培装置においては、培養サイクルが繰り返されることにより、野菜や果物が生産される。作業者は、各培養槽に対する作業を行うにあたり、各培養槽１の近くに移動する必要がなく、全ての培養槽１に対する作業を作業場４において行うことができる。
【００２５】
そして、搬送手段３は、作業場４における作業が終了した後に、作業場４に搬送した培養槽１を、図１中矢印Ｂで示すように、保持棚２の元の場所に搬送し、保持棚２に保持させる。したがって、この植物栽培装置においては、作業を終了された各培養槽１は、常に保持棚２の所定の場所に保持される。
【００２６】
すなわち、本発明に係る植物栽培装置においては、装置の省スペース化が図られ、かつ、苗作り、植え替え、手入れ、収穫、清掃、準備及び培養液管理などの各作業の作業性が良好となされる。
【産業上の利用可能性】
【００２７】
本発明は、屋内で、野菜、果物、その他の植物を栽培する植物栽培装置に適用される。
【符号の説明】
【００２８】
１  培養槽
２  保持棚
３  搬送手段
４  作業場
５  移動操作装置
６  昇降装置
７  コンベア装置
８  制御装置
９  記憶装置
１０  入力装置
１１  表示装置
１２  ＬＥＤ、または、蛍光灯
【図１】
2010136724.tif 000003
【図２】
2010136724.tif 000004
【図３】
2010136724.tif 000005
【図４】
2010136724.tif 000006